【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
送信集中サブレイヤサブネットワーク接続を自動保護切り換えできるようにするＡＴＭネットワーク要素(ATM NE-1)であって、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、両エンティティ(TCS-W,TCS-P)は、各々、指定のＵＴＯＰＩＡアドレスを経てＡＴＭネットワーク要素(ATM NE-1)内で個々にアドレスすることができ、ＡＴＭネットワーク要素(ATM NE-1)には、機能側送信集中サブレイヤエンティティ(TCS-W)を経て確立された送信集中サブレイヤサブネットワーク接続における欠陥を指示するための物理的レイヤエラーメッセージが送信集中サブレイヤにより与えられ、ＡＴＭネットワーク要素(ATM NE-1)は、物理的レイヤエラーメッセージが受信されない限り、機能側送信集中サブレイヤエンティティ(TCS-W)のＵＴＯＰＩＡアドレス(UA1)を、そして物理的レイヤエラーメッセージが受信された後は、保護側送信集中サブレイヤエンティティ(TCS-P)のＵＴＯＰＩＡアドレス(UA2)をＡＴＭセルの送信に対して選択するよう構成されたＡＴＭネットワーク要素(ATM NE-1)。
【請求項２】
機能側送信集中サブレイヤエンティティ(TCS-W)と、保護側送信集中サブレイヤエンティティ(TCS-P)との両方を経てＡＴＭネットワーク要素(ATM NE-1)に入るデータを合体するように構成された、請求項１に記載のＡＴＭネットワーク要素(ATM NE-1)。
【請求項３】
前記物理的ラインインターフェイスは、ＳＤＨ及び／又はＰＤＨ物理的ラインインターフェイスである請求項１又は２に記載のＡＴＭネットワーク要素(ATM NE-1)。
【請求項４】
前記物理的ラインインターフェイスは、ＡＴＭの逆マルチプレクシング(IMA)に使用されるＰＤＨ物理的ラインインターフェイスである請求項３に記載のＡＴＭネットワーク要素(ATM NE-1)。
【請求項５】
前記物理的レイヤエラーメッセージは、ＯＡＭ物理的レイヤエラーメッセージ、特にＯＡＭフローＦ３メッセージ、例えば、信号の検出ロス、フレームのロス及び／又はセル輪郭のロスを指示するＰ‐ＲＤＩ及びＰ‐ＡＩＳメッセージである請求項１ないし４のいずれかに記載のＡＴＭネットワーク要素(ATM NE-1)。
【請求項６】
請求項１ないし５のいずれかに記載の少なくとも２つの相互接続されたＡＴＭネットワーク要素(ATM NE-1)を備えたＡＴＭネットワーク。
【請求項７】
ポイント対ポイント、リング、又はメッシュの送信集中サブレイヤサブネットワーク接続に対する請求項１ないし５のいずれかに記載のＡＴＭネットワーク要素(ATM NE-1)の使用。
【請求項８】
無線アクセスネットワークにおける請求項１ないし５のいずれかに記載のＡＴＭネットワーク要素(ATM NE-1)の使用。
【請求項９】
送信集中サブレイヤのスパンに一致する仮想経路接続、又はこの仮想経路接続によりサポートされる仮想回路接続を保護切り換えするための請求項１ないし５のいずれかに記載のＡＴＭネットワーク要素(ATM NE-1)の使用。
【請求項１０】
ＡＴＭネットワークにおける第１のＡＴＭネットワーク要素(ATM NE-1)と第２のＡＴＭネットワーク要素(ATM NE-2)との間で送信集中サブレイヤサブネットワーク接続を自動保護切り換えする方法であって、前記第１のＡＴＭネットワーク要素(ATM NE-1)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第１のＡＴＭネットワーク要素(ATM NE-1)の前記機能側送信集中サブレイヤエンティティ(TCS-W)及び第１のＡＴＭネットワーク要素(ATM NE-1)の前記保護側送信集中サブレイヤエンティティ(TCS-P)は、異なる送信経路を経て独立した送信集中サブレイヤサブネットワーク接続を行うことができ、各送信集中サブレイヤエンティティ(TCS-W,TCS-P)は、専用のＵＴＯＰＩＡアドレスを経て第１のＡＴＭネットワーク要素(ATM NE-1)内でアドレスすることができ、前記方法は、ソースポイントとして使用される第１のＡＴＭネットワーク要素(ATM NE-1)において、
−  使用される送信集中サブレイヤサブネットワーク接続における欠陥がその与えられた物理的レイヤエラーメッセージにより指示されない限り、
ａ）指定のＵＴＯＰＩＡアドレスにより選択された機能側対応送信集中サブレイヤエンティティ(TCS-W)を経てデータを送信し、そして
−  使用される送信集中サブレイヤサブネットワーク接続における欠陥を物理的レイヤエラーメッセージが指示する場合に、
ｂ）第１のＡＴＭネットワーク要素(ATM NE-1)における送信集中サブレイヤエンティティへ送信されるべきＡＴＭセルをアドレスするのに使用されるＵＴＯＰＩＡアドレスを、機能側送信集中サブレイヤエンティティ(TCS-W)に指定されたＵＴＯＰＩＡアドレス(UA1)から、保護側送信集中サブレイヤエンティティ(TCS-P)に指定されたＵＴＯＰＩＡアドレス(UA2)へと切り換え、そして
ｃ）第１のＡＴＭネットワーク要素(ATM NE-1)から、指定のＵＴＯＰＩＡアドレスにより選択された対応する保護側送信集中サブレイヤエンティティ(TCS-P)を経てＡＴＭセルを送信する、
という段階を備えた方法。
【請求項１１】
前記第２のＡＴＭネットワーク要素(ATM NE-2)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第２のＡＴＭネットワーク要素(ATM NE-2)の前記機能側送信集中サブレイヤエンティティ(TCS-W)及び第２のＡＴＭネットワーク要素(ATM NE-2)の前記保護側送信集中サブレイヤエンティティ(TCS-P)は、異なる送信経路を経て前記独立した送信集中サブレイヤサブネットワーク接続を行うことができ、前記方法は、シンクとして使用される前記第２のＡＴＭネットワーク要素(ATM NE-2)において、前記第１のＡＴＭネットワーク要素における送信に、機能側送信集中サブレイヤエンティティ(TCS-W)が使用されるか保護側送信集中サブレイヤエンティティ(TCS-P)が使用されるかに関わりなく、前記第２のＡＴＭネットワーク要素(ATM NE-2)の機能側送信集中サブレイヤエンティティ(TCS-W)及び保護側送信集中サブレイヤエンティティ(TCS-P)を経て受け取った全てのデータを合体する段階を更に備えた、請求項１０に記載の送信集中サブレイヤサブネットワーク接続を自動保護切り換えする方法。
【請求項１２】
前記使用される送信集中サブレイヤサブネットワーク接続における欠陥を指示する物理的レイヤエラーメッセージが、前記第２のＡＴＭネットワーク要素(ATM NE-2)の機能側送信集中サブレイヤエンティティ(TCS-W)により与えられる場合に、前記第１のＡＴＭネットワーク要素(ATM NE-1)に欠陥メッセージを送信する段階を更に備えた、請求項１０又は１１に記載の送信集中サブレイヤサブネットワーク接続を自動保護切り換えする方法。
【請求項１３】
前記送信集中サブレイヤエンティティ(TCS-W,TCS-P)の各々は、専用のＵＴＯＰＩＡアドレスを経て前記第２のＡＴＭネットワーク要素(ATM NE-2)内でアドレス可能であり、前記切り換えは、前記第２のＡＴＭネットワーク要素(ATM NE-2)でもそのソース機能において実行される、請求項１１又は１２に記載の送信集中サブレイヤサブネットワーク接続を自動保護切り換えする方法。
【請求項１４】
前記切り換えは、欠陥が除去されるや否や逆転される、請求項１０から１３のいずれかに記載の送信集中サブレイヤサブネットワーク接続を自動保護切り換えする方法。
【請求項１５】
欠陥状態により前記保護側送信集中サブネットワーク接続へ切り換わった後、前記機能側送信集中サブネットワーク接続は、欠陥状態が除去されるや否や回復待機状態にセットされる、請求項１０から１４のいずれかに記載の送信集中サブレイヤサブネットワーク接続を自動保護切り換えする方法。
【請求項１６】
前記使用される送信集中サブレイヤサブネットワーク接続における欠陥を指示するＯＡＭ物理的レイヤエラーメッセージが、前記第２のＡＴＭネットワーク要素(ATM NE-2)の機能側送信集中サブレイヤエンティティ(TCS-W)によって与えられる場合に、
−  前記第２のＡＴＭネットワーク要素(ATM NE-2)でも、ソースポイントとしてのその機能において、前記第２のＡＴＭネットワーク要素(ATM NE-2)における送信集中サブレイヤエンティティへ送信されるべきＡＴＭセルをアドレスするのに使用されるＵＴＯＰＩＡアドレスを、前記機能側送信集中サブレイヤエンティティ(TCS-W)に指定されたＵＴＯＰＩＡアドレス(UA1)から、前記保護側送信集中サブレイヤエンティティ(TCS-P)に指定されたＵＴＯＰＩＡアドレス(UA2)へ切り換え、
−  前記第２のＡＴＭネットワーク要素(ATM NE-2)から、指定のＵＴＯＰＩＡアドレスにより選択された対応する保護側送信集中サブレイヤエンティティ(TCS-P)を経て、前記第１のＡＴＭネットワーク要素(ATM NE-1)へＡＴＭセルを送信する、
という付加的な段階を含む、請求項１２に記載の送信集中サブレイヤサブネットワーク接続を自動保護切り換えする方法。
【請求項１７】
前記使用される物理的レイヤエラーメッセージは、経路ＲＤＩ及び経路ＡＩＳのようなフローＦ３  ＯＡＭメッセージ、特に、信号の検出されたロス、フレームのロス、及び／又はセル輪郭のロスを指示するものである、請求項１０から１６のいずれかに記載の送信集中サブレイヤサブネットワーク接続を自動保護切り換えする方法。
【請求項１８】
送信集中サブレイヤサブネットワーク接続を自動保護切り換えできるようにするＡＴＭネットワーク要素(ATM NE-2)であって、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含むようなＡＴＭネットワーク要素(ATM NE-2)において、前記機能側送信集中サブレイヤエンティティ(TCS-W)及び前記保護側送信集中サブレイヤエンティティ(TCS-P)の両方を経て前記ＡＴＭネットワーク要素(ATM NE-2)に入るデータを合体するように構成されたＡＴＭネットワーク要素(ATM NE-2)。
【請求項１９】
前記物理的ラインインターフェイスは、ＳＤＨ及び／又はＰＤＨ物理的ラインインターフェイスである、請求項１８に記載のＡＴＭネットワーク要素(ATM NE-2)。
【請求項２０】
前記物理的ラインインターフェイスは、ＡＴＭの逆マルチプレクシング(IMA)に使用されるＰＤＨ物理的ラインインターフェイスである、請求項１９に記載のＡＴＭネットワーク要素(ATM NE-2)。
【請求項２１】
前記物理的レイヤエラーメッセージは、ＯＡＭ物理的レイヤエラーメッセージ、特にＯＡＭフローＦ３メッセージ、例えば、信号の検出ロス、フレームのロス、及び／又はセル輪郭のロスを指示するＰ‐ＲＤＩ及びＰ‐ＡＩＳメッセージである、請求項１８から２０のいずれかに記載のＡＴＭネットワーク要素(ATM NE-2)。
【請求項２２】
請求項１から５のいずれかに記載の少なくとも１つの相互接続されたＡＴＭネットワーク要素(ATM NE-1)と、請求項１８から２１のいずれかに記載の少なくとも１つの相互接続されたＡＴＭネットワーク要素(ATM NE-2)とを備えた、ＡＴＭネットワーク。
【請求項２３】
ポイント対ポイント、リング、又はメッシュの送信集中サブレイヤサブネットワーク接続に対する請求項１８から２１のいずれかに記載のＡＴＭネットワーク要素(ATM NE-2)の使用。
【請求項２４】
無線アクセスネットワークにおける請求項１８から２１のいずれかに記載のＡＴＭネットワーク要素(ATM NE-2)の使用。
【請求項２５】
送信集中サブレイヤのスパンに一致する仮想経路接続、又はこの仮想経路接続によりサポートされる仮想回路接続を保護切り換えするための請求項１８から２１のいずれかに記載のＡＴＭネットワーク要素(ATM NE-2)の使用。
【請求項２６】
ＡＴＭネットワークにおける第１のＡＴＭネットワーク要素(ATM NE-1)と第２のＡＴＭネットワーク要素(ATM NE-2)との間で送信集中サブレイヤサブネットワーク接続を自動保護切り換えする方法であって、前記第２のＡＴＭネットワーク要素(ATM NE-2)は、少なくとも１つの機能側送信集中サブレイヤエンティティ(TCS-W)を第１の物理的ラインインターフェイスの一部分として含むと共に、少なくとも１つの保護側送信集中サブレイヤエンティティ(TCS-P)を第２の物理的ラインインターフェイスの一部分として含み、第２のＡＴＭネットワーク要素(ATM NE-2)の前記機能側送信集中サブレイヤエンティティ(TCS-W)及び第２のＡＴＭネットワーク要素(ATM NE-2)の前記保護側送信集中サブレイヤエンティティ(TCS-P)は、異なる送信経路を経て独立した送信集中サブレイヤサブネットワーク接続を行うことができ、前記方法は、シンクとして使用される前記第２のＡＴＭネットワーク要素(ATM NE-2)において、
前記第２のＡＴＭネットワーク要素(ATM NE-2)の機能側送信集中サブレイヤエンティティ(TCS-W)及び保護側送信集中サブレイヤエンティティ(TCS-P)を経て受け取った全てのデータを合体する、
という段階を更に備えた方法。
【請求項２７】
前記使用される送信集中サブレイヤサブネットワーク接続における欠陥を指示する物理的レイヤエラーメッセージが、前記第２のＡＴＭネットワーク要素(ATM NE-2)の機能側送信集中サブレイヤエンティティ(TCS-W)により与えられる場合に、前記第１のＡＴＭネットワーク要素(ATM NE-1)に欠陥メッセージを送信する段階を更に備えた、請求項２６に記載の送信集中サブレイヤサブネットワーク接続を自動保護切り換えする方法。
【請求項２８】
前記使用される物理的レイヤエラーメッセージは、経路ＲＤＩ及び経路ＡＩＳのようなフローＦ３  ＯＡＭメッセージ、特に、信号の検出されたロス、フレームのロス、及び／又はセル輪郭のロスを指示するものである、請求項２７に記載の送信集中サブレイヤサブネットワーク接続を自動保護切り換えする方法。